(57)【要約】【課題】  複数の作業者が、１つのデザインについて問題箇所をレビューするデザイン・レビューに対して、効率的にレビューが行えるデザイン・レビュー支援方法、プログラム、および、システムを提供することである。【解決手段】  編集権限を定めることが可能な第１の端末１からの編集権限をオンとする信号が第２の端末２で受信され、その第２の端末２の機能指定部１２に入力されると、この機能指定部１２は、既存のアプリケーションの動作時の編集モードを、すべての編集処理が無効なモードからマーキング処理のみを可能とするモードに変更する。【選択図】  図１
2006178784.tif 000002
【特許請求の範囲】
【請求項１】
複数の端末を用いてデザイン・レビューを行う場合に、該複数の端末のうちのいずれか１つとして指定された他端末に対して編集権限を定めることが可能な第１の端末と、該第１の端末から編集権限を付与される第２の端末とが連携してデザイン・レビューを支援する処理を実行する方法において、
該第１の端末側において、
既存のアプリケーション上のデータが変更された場合に、該データを所定形式の画像データに変換し、
該変換された既存のアプリケーション上のデータを他端末に送信し、
他端末から受信された画像データを該他端末に対応する領域に表示し、
編集権限をオンまたはオフとする信号を指定対象の端末に対して送信し、
該第２の端末側において、
該編集権限をオンまたはオフとする信号を受信した場合に、既存のアプリケーション上のデータの編集モードを変更し、
該既存のアプリケーション上のデータが変更された場合に、該データを所定形式の画像データに変換し、
該変換された既存のアプリケーション上のデータを他端末に送信し、
他端末から受信された画像データを該他端末に対応する領域に表示する、ことを特徴とするデザイン・レビュー支援方法。
【請求項２】
前記編集モードの変更は、編集権限をオンとする信号が受信された場合に、該既存のアプリケーション上のデータに対して、問題箇所のマーキング処理のみを可能としたモードに変更し、
編集権限をオフとする信号が受信された場合に、該既存のアプリケーション上のデータに対して、全ての編集機能を無効とするモードに変更することを特徴とする請求項１記載のデザイン・レビュー支援方法。
【請求項３】
前記第１の端末は、編集権限をオンとする信号を送信してから画像データを受信しない間は、他の全ての端末に対して編集権限をオンとする信号を送信できないようにオン信号の送信機能が無効化されるとともに、画像データを受信したことをトリガとして、その画像データの送信元の端末に対して、編集権限をオフとする信号を送信することを特徴とする請求項１記載のデザイン・レビュー支援方法。
【請求項４】
複数の端末のうちのいずれか１つとして指定された他端末に対して編集権限を定めることが可能な第１の端末と、該第１の端末から編集権限を付与される第２の端末とが連携してデザイン・レビューを行う場合に、それぞれの端末に、デザイン・レビューの支援を行わせるプログラムにおいて、
指定された自端末の属性に基づいて、既存のアプリケーションの動作時の編集モードを指定する機能指定ステップと、
該既存のアプリケーション上のデータが変更された場合に、該データを所定形式の画像データに変換するデータ変換ステップと、
該変換された既存のアプリケーション上のデータを他端末に送信するステップと、
他端末から受信された画像データを該他端末に対応する領域に表示する画面合成ステップと、
編集権限をオンまたはオフとする信号を指定された端末に送信するステップと、
前記指定された自端末の属性に基づいて、前記編集権限をオンまたはオフとする信号の送信機能を有効化または無効化するステップと、を備えることを特徴とするデザイン・レビュー支援プログラム。
【請求項５】
前記指定された自端末の属性が、前記第１の端末である場合に、既存のアプリケーションの動作時の編集モードとして、マーキング処理およびそれ以外の編集処理を可能とするモードを指定することを特徴とする請求項４記載のデザイン・レビュー支援プログラム。
【請求項６】
前記指定された自端末の属性が、前記第２の端末である場合に、既存のアプリケーションの動作時の編集モードとして、すべての編集機能を無効化したモードを指定することを特徴とする請求項４記載のデザイン・レビュー支援プログラム。
【請求項７】
前記指定された自端末の属性が、前記第２の端末であって、編集権限をオンとする信号を受信した場合に、既存のアプリケーションの動作時の編集モードを、マーキング処理のみを可能とするモードに変更することを特徴とする請求項６記載のデザイン・レビュー支援プログラム。
【請求項８】
前記指定された自端末の属性が、前記第１の端末である場合に、編集権限をオンとする信号を送信してから画像データを受信しない間は、他の全ての端末に対して編集権限をオンとする信号を送信できないようにオン信号の送信機能が無効化されるとともに、画像データを受信したことをトリガとして、その画像データの送信元の端末に対して、編集権限をオフとする信号を送信することを特徴とする請求項４記載のデザイン・レビュー支援プログラム。
【請求項９】
複数の端末を用いてデザイン・レビューを行う場合に、該複数の端末のうちのいずれか１つとして指定された他端末に対して編集権限を定めることが可能な第１の端末と、該第１の端末から編集権限を付与される第２の端末とが連携してデザイン・レビューを支援するシステムにおいて、
該第１の端末は、
既存のアプリケーションの動作時の編集モードを第１のモードに指定する機能指定手段と、
該既存のアプリケーション上のデータが変更された場合に該データを所定形式の画像データに変換するデータ変換手段と、
該変換された既存のアプリケーション上のデータを他端末に送信する送信手段と、
他端末から受信された画像データを該他端末に対応する領域に表示する画面合成手段と、
他端末に対して編集権限のオン・オフを指示することが可能な編集権限オン・オフ指示手段と、を備え、
該第２の端末は、
該既存のアプリケーションの動作時の編集モードを第２のモードに指定する機能指定手段と、
編集権限をオンとする信号を受信した場合に、該既存のアプリケーションの動作時のモードを第３のモードに変更する機能変更手段と、
該既存のアプリケーション上のデータが変更された場合に、該データを所定形式の画像データに変換するデータ変換手段と、
該変換された既存のアプリケーション上のデータを他端末に送信する送信手段と、
他端末から受信された画像データを該他端末に対応する領域に表示する画面合成手段と、を備えることを特徴とするデザイン・レビュー支援システム。
【請求項１０】
前記第１のモードは、問題箇所のマーキング処理及びそれ以外の編集処理が既存のアプリケーション上のデータに対し可能なモードであり、前記第２のモードは、すべての編集機能を無効化したモードであり、前記第３のモードは、問題箇所のマーキング処理のみが既存のアプリケーション上のデータに対し可能なモードであることを特徴とする請求項９記載のデザイン・レビュー支援システム。
【請求項１１】
前記第１の端末の編集権限オン・オフ指示手段は、編集権限をオンとする信号を送信してから画像データを受信しない間は、他の全ての端末に対して編集権限をオンとする信号を送信できないようにオン信号の送信機能が無効化されるとともに、画像データを受信したことをトリガとして、その画像データの送信元の端末に対して、編集権限をオフとする信号を送信することを特徴とする請求項９記載のデザイン・レビュー支援システム。
【発明の詳細な説明】
【技術分野】
【０００１】
本発明は、デザイン・レビューを支援するための方法、プログラム、および、システムに関する。
【背景技術】
【０００２】
専用のテレビ会議端末やパーソナルコンピュータを、ＬＡＮ（ローカル・エリア・ネットワーク）、ＩＳＤＮ（サービス統合ディジタル網）、電話回線等の通信回線に接続し、音声、映像、等の各種データを転送して、端末（コンピュータ）の利用者間で会議を行うテレビ会議システムがある。
【０００３】
このようなテレビ会議システムでは、例えば、通信を行っている２台の端末間で、一方の表示画面に表示された画面情報をビットマップや描画コマンド等の情報として他方の端末に送信し、その他方の端末において、その一方の端末から受信した情報に基づいて、その一方の端末の表示画面に表示されている画面イメージを再現している。一方の端末の画面イメージが他方の端末にも共有されていることから、このようなシステムを画面共有システムと呼ぶ。
【０００４】
図１１は、上記した従来の画面共有システムにおける動作例を示す図である。
図１１において、画面共有コンピュータは、画面を提供するコンピュータ（画面提供コンピュータ）にアクセスして、その画面提供コンピュータ内のアプリケーションを操作して、そのアプリケーションの画面イメージの情報を取得し、自装置の表示を更新する。なお、画面共有コンピュータは、画面提供コンピュータのアプリケーションの画面イメージを共有するだけで、その画面提供コンピュータのアプリケーションは有さない。
【０００５】
図１１において、まず、画面共有コンピュータ側で、（１）でユーザによってマウスが移動されると、そのマウスの移動情報が（２）でネットワーク上を伝わり、（３）で画面提供コンピュータ側に受信される。
【０００６】
画面提供コンピュータ側では、受信したマウスの移動情報に基づいて、（４）で画面提供コンピュータのアプリケーションの表示画面を更新する。例えば、表示画面が複数の部品から構成されるユニットを表示していた場合に、マウスの移動情報が、その構成部品のいずれかに対する移動指示であった場合は、その表示画面において、その対象部品に対する移動が行われることで、その表示画面が更新される。
【０００７】
この画面の更新情報は、画面提供コンピュータから送信され、（５）で、その更新情報がネットワーク上を伝わり、（６）で画面共有コンピュータ側に受信され、（７）その画面コンピュータ側の画面表示が更新（変更）される。
【０００８】
また、画面共有システムの他の従来例としては、特許文献１に開示されるシステムがある。このシステムは、複数のユーザが協調して作業を行うためのシステムであり、個々のコンピュータにおいて、そのコンピュータの作業者用の非共有ウィンドウと、その作業者が属するグループの共有情報のウィンドウと、複数のグループから構成される全体に対する共有情報のウィンドウと、を備え、それらを作業者の視点から奥行きをもたせて階層的に表示させている。
【特許文献１】特開２０００−２６７９６８号公報  「画面共有システム」
【発明の開示】
【発明が解決しようとする課題】
【０００９】
しかし、複数の作業者が協調して作業を行う場合でも、デザイン・レビューのように、複数の作業者が、１つのデザインについて問題箇所をレビューする場合には、例えば、複数の作業者から問題箇所が一斉に提示されても、混乱が生じるばかりで、作業が進むことにはならない。
【００１０】
本発明の課題は、複数の作業者が、１つのデザインについて問題箇所をレビューするデザイン・レビューに対して、効率的にレビューが行えるデザイン・レビュー支援方法、プログラム、および、システムを提供することである。
【課題を解決するための手段】
【００１１】
本発明の第１態様のデザイン・レビュー支援方法は、複数の端末を用いてデザイン・レビューを行う場合に、該複数の端末のうちのいずれか１つとして指定された他端末に対して編集権限を定めることが可能な第１の端末と、該第１の端末から編集権限を付与される第２の端末とが連携してデザイン・レビューを支援する処理を実行する方法において、該第１の端末側において、既存のアプリケーション上のデータが変更された場合に、該データを所定形式の画像データに変換し、該変換された既存のアプリケーション上のデータを他端末に送信し、他端末から受信された画像データを該他端末に対応する領域に表示し、編集権限をオンまたはオフとする信号を指定対象の端末に対して送信し、該第２の端末側において、該編集権限をオンまたはオフとする信号を受信した場合に、既存のアプリケーション上のデータの編集モードを変更し、該既存のアプリケーション上のデータが変更された場合に、該データを所定形式の画像データに変換し、該変換された既存のアプリケーション上のデータを他端末に送信し、他端末から受信された画像データを該他端末に対応する領域に表示する、ことを特徴とするデザイン・レビュー支援方法である。
【００１２】
ここで、編集権限を定めることが可能な第１の端末からの編集権限をオンとする信号を第２の端末が受信すると、その第２の端末の既存のアプリケーションの動作時の編集モードが変更されて、例えば既存のアプリケーションのデータが編集可能となるので、多数の端末のユーザ（レビュー参加者）から同時または略同時にデザインの問題箇所について提示される事態が回避し易くなり、効率的にデザイン・レビューを行うことが可能となる。
【００１３】
上記第１態様において、前記編集モードの変更は、編集権限をオンとする信号が受信された場合に、該既存のアプリケーション上のデータに対して、問題箇所のマーキング処理のみを可能としたモードに変更し、編集権限をオフとする信号が受信された場合に、該既存のアプリケーション上のデータに対して、全ての編集機能を無効とするモードに変更するようにしてもよい。
【００１４】
この場合、編集権限を付与される第２の端末側では、既存のアプリケーションの動作時のモードは、切り替えられるいずれのモードでも、既存のアプリケーションのデータに対して、問題箇所に対するマーキング処理以外の編集は不可となっている。よって、第２の端末のユーザが誤ってアプリケーションのデータに対し修正を加えて、レビューが混乱する事態を回避することができ、効率的にデザイン・レビューを行うことが可能となる。
【００１５】
本発明の第２態様のデザイン・レビュー支援プログラムは、複数の端末のうちのいずれか１つとして指定された他端末に対して編集権限を定めることが可能な第１の端末と、該第１の端末から編集権限を付与される第２の端末とが連携してデザイン・レビューを行う場合に、それぞれの端末に、デザイン・レビューの支援を行わせるプログラムにおいて、指定された自端末の属性に基づいて、既存のアプリケーションの動作時の編集モードを指定する機能指定ステップと、該既存のアプリケーション上のデータが変更された場合に、該データを所定形式の画像データに変換するデータ変換ステップと、該変換された既存のアプリケーション上のデータを他端末に送信するステップと、他端末から受信された画像データを該他端末に対応する領域に表示する画面合成ステップと、編集権限をオンまたはオフとする信号を指定された端末に送信するステップと、前記指定された自端末の属性に基づいて、前記編集権限をオンまたはオフとする信号の送信機能を有効化または無効化するステップと、を備えることを特徴とするデザイン・レビュー支援プログラムである。
【００１６】
ここで、自端末の属性が、編集権限を定めることが可能な第１の端末である場合に、前記編集権限をオンまたはオフとする信号の送信機能を有効化するようにすれば、該第１の端末からの編集権限をオンとする信号を第２の端末が受信すると、その第２の端末の既存のアプリケーションの動作時の編集モードが変更されて、例えば既存のアプリケーションのデータが編集可能となるので、多数の端末のユーザ（レビュー参加者）から同時または略同時にデザインの問題箇所について提示される事態が回避し易くなり、効率的にデザイン・レビューを行うことが可能となる。
【００１７】
本発明の第３態様のデザイン・レビュー支援システムは、複数の端末を用いてデザイン・レビューを行う場合に、該複数の端末のうちのいずれか１つとして指定された他端末に対して編集権限を定めることが可能な第１の端末と、該第１の端末から編集権限を付与される第２の端末とが連携してデザイン・レビューを支援するシステムにおいて、該第１の端末は、既存のアプリケーションの動作時の編集モードを第１のモードに指定する機能指定手段と、該既存のアプリケーション上のデータが変更された場合に該データを所定形式の画像データに変換するデータ変換手段と、該変換された既存のアプリケーション上のデータを他端末に送信する送信手段と、他端末から受信された画像データを該他端末に対応する領域に表示する画面合成手段と、他端末に対して編集権限のオン・オフを指示することが可能な編集権限オン・オフ指示手段と、を備え、該第２の端末は、該既存のアプリケーションの動作時の編集モードを第２のモードに指定する機能指定手段と、編集権限をオンとする信号を受信した場合に、該既存のアプリケーションの動作時のモードを第３のモードに変更する機能変更手段と、該既存のアプリケーション上のデータが変更された場合に、該データを所定形式の画像データに変換するデータ変換手段と、該変換された既存のアプリケーション上のデータを他端末に送信する送信手段と、他端末から受信された画像データを該他端末に対応する領域に表示する画面合成手段と、を備えることを特徴とするデザイン・レビュー支援システムである。
【００１８】
ここで、編集権限を定めることが可能な第１の端末からの編集権限をオンとする信号を第２の端末が受信すると、その第２の端末の既存のアプリケーションの動作時の編集モードが第２のモード（例えば編集機能を無効化するモード）から第３のモード（例えば問題箇所のマーキング処理のみを可能とするモード）に変更されるので、多数の端末のユーザ（レビュー参加者）から同時または略同時にデザインの問題箇所について提示される事態が回避し易くなり、効率的にデザイン・レビューを行うことが可能となる。
【発明の効果】
【００１９】
本発明によれば、編集権限を定めることが可能な端末からの編集権限をオンとする信号を編集権限を付与される端末が受信すると、その編集権限を付与される端末の既存のアプリケーションの動作時の編集モードが変更されて、例えば既存のアプリケーションのデータが編集可能となるので、多数の端末のユーザ（レビュー参加者）から同時または略同時にデザインの問題箇所について提示される事態が回避し易くなる。
【００２０】
また、本発明によれば、編集権限を付与される端末側では、既存のアプリケーションの動作時のモードは、切り替えられるいずれのモードでも、既存のアプリケーションのデータに対して、問題箇所に対するマーキング処理以外の編集は不可となっている。よって、編集権限を付与される端末のユーザが誤ってアプリケーションのデータに対し修正を加えて、レビューが混乱する事態を回避することができる。
【発明を実施するための最良の形態】
【００２１】
以下、本発明の実施の形態を、図面を参照しながら詳細に説明する。
図１は、端末を２台としたときの本発明の一実施形態のデザイン・レビュー支援システムの概要構成図である。
【００２２】
図１において、デザイン・レビュー支援システムは、第１の端末１と第２の端末２とが通信媒体４を介して接続されることで構成されている。第１および第２の端末は、それぞれ、デザイン・レビュー支援部（属性指定部１１、機能指定部１２、編集権限オン・オフ指示部１３、データ変換部１４、画面合成部１５）を有する。デザイン・レビューを行うに先立って、複数の端末からどの端末を他端末に対して編集権限を定めることができる端末とするかを予めユーザ間で決めておく。編集権限を定めることができる端末以外の端末は、その編集権限を定めることができる端末から編集権限を付与される端末である。例えば、図１において、第１の端末１を編集権限を定めることができる端末として決めると、第２の端末２は、その第１の端末１から編集権限を付与される端末となる。
【００２３】
なお、Ｎ台の端末を用いてデザイン・レビューを行う場合、そのうちのいずれか１台を、他端末に対して編集権限を定めることができる端末として指定し、残りの（Ｎ−１）台の端末は、その編集権限を定めることができる端末から編集権限を付与される端末となる。
【００２４】
図２は、編集権限を定めることができる端末のデザイン・レビュー支援部１０の構成を示すブロック図である。図２において、デザイン・レビュー支援部１０は、属性指定部１１、機能指定部１２、編集権限オン・オフ指示部１３、データ変換部１４、画面合成部１５を有する。
【００２５】
なお、ユーザは属性指定部１１を介して、自端末の属性を、「他のすべての端末に対して編集権限を定めることができる端末」とするか「編集権限を付与される端末」とするか指定する。上述したように、デザイン・レビューに先立って、ユーザ間で、この図２のデザイン・レビュー支援部１０を有する端末を他の端末に対して編集権限を定めることができる端末とすることが取り決められたので、この端末のユーザはその取り決めに従い、属性指定部１１を介して、自端末を、「他のすべての端末に対して編集権限を定めることができる端末」として指定する。
【００２６】
この指定に基づいて、属性指定部１１から機能指定部１２に対して機能指定信号が出力される。この機能指定信号に基づいて、機能指定部１２は、ユーザによってデザイン・レビュー支援部１０上から起動された既存のアプリケーション２１の動作時の編集モードとして、問題箇所のマーキング処理及びそれ以外の編集処理が（既存のアプリケーション２１上のデータ２２に対し）可能なモードを指定する。なお、既存のアプリケーション２１とは、既存のワードプロセッサ、表計算ソフト、ＣＡＤソフト、等をいう。
【００２７】
また、この指定に基づいて、属性指定部１１から編集権限オン・オフ指示部１３に対して有効化信号が出力され、他（のすべての）端末に対して編集権限のオン・オフを指示することが可能な編集権限オン・オフ指示部１３の機能が「有効」に設定される。
【００２８】
データ変換部１４は、既存のアプリケーション２１上でデータ２２が変更されて画面表示が変更された場合、その画面表示の変更に伴ってそのデータ２２が保存された場合、データ２２の変更の有無を問わず所定の時間間隔毎、などの所定のトリガによって起動され、そのデータ２２を所定形式の画像データ（ビットマップ、ＪＰＥＧ、等）２３に変換する。
【００２９】
画像データ２３は、送信部２６を介して、デザイン・レビューを行う他の全ての端末（これら端末のアドレスは予め取得済みとする）宛てに送信される。
また、上述したように、本端末においては、ユーザの指定によって、編集権限オン・オフ指示部１３の機能が「有効」に設定されているので、ユーザは、編集権限オン・オフ指示部１３を介して、デザイン・レビューを行う他の全ての端末から指定された端末に対して、編集権限をオンとする信号を送信部２６を介して送信することができる。
【００３０】
一方、他端末からの画像データ２４は受信部２７を介して受信され、画面合成部１５において、その他端末（送信元の端末）に対応する領域に出力され表示される。
図３は、編集権限を定めることができる端末から編集権限を付与される端末のデザイン・レビュー支援部３０の構成を示すブロック図である。図３において、デザイン・レビュー支援部３０は、属性指定部１１、機能指定部１２、編集権限オン・オフ指示部１３、データ変換部１４、画面合成部１５、状態変化出力部１６、を有する。
【００３１】
上述したように、デザイン・レビューに先立って、ユーザ間で、この図３のデザイン・レビュー支援部３０を有する端末を他の端末に対して編集権限を定めることができる端末から編集権限を付与される端末とすることが取り決められたので、この端末のユーザはその取り決めに従い、属性指定部１１を介して、自端末を、「編集権限を付与される端末」として指定する。
【００３２】
この指定に基づいて、属性指定部１１から機能指定部１２に対して機能指定信号が出力される。この機能指定信号に基づいて、機能指定部１２は、ユーザによってデザイン・レビュー支援部３０上から起動された既存のアプリケーション２１の動作時の編集モードとして、（既存のアプリケーション２１上のデータ２２に対し）すべての編集機能を無効化したモードを指定する。なお、既存のアプリケーション２１とは、既存のワードプロセッサ、表計算ソフト、ＣＡＤソフト、等をいう。
【００３３】
また、この指定に基づいて、属性指定部１１から編集権限オン・オフ指示部１３に対して無効化信号が出力され、他（のすべての）端末に対して編集権限のオン・オフを指示することが可能な編集権限オン・オフ指示部１３の機能が「無効」に設定される。
【００３４】
データ変換部１４は、既存のアプリケーション２１上でデータ２２が変更されて画面表示が変更された場合（マーキング処理が施されたような場合）、その画面表示の変更に伴ってそのデータ２２が保存された場合、データ２２の変更の有無を問わず所定の時間間隔毎、などの所定のトリガによって起動され、そのデータ２２を所定形式の画像データ（ビットマップ、ＪＰＥＧ、等）２３に変換する。
【００３５】
画像データ２３は、送信部２６を介して、デザイン・レビューを行う他の全ての端末（これら端末のアドレスは予め取得済みとする）宛てに送信される。
一方、他端末からの画像データ２４は受信部２７を介して受信され、画面合成部１５において、その他端末（送信元の端末）に対応する領域に出力され表示される。
【００３６】
なお、受信部２７を介して、編集権限をオンとする信号が受信された場合、その信号は状態変化出力部１６、機能指定部１２、に入力される。機能指定部１２では、この編集権限をオンとする信号を入力した場合に、既存のアプリケーションの動作時の編集モードを「すべての編集機能を無効化したモード」から「マーキング機能のみを有効にしたモード」へ変更する。また、状態変化出力部１６では、この編集権限をオンとする信号を入力した場合に、画面上のメッセージ表示用の領域に、編集モードが「マーキング機能のみを有効にしたモード」に変更された旨を示すメッセージを出力する。
【００３７】
また、受信部２７を介して、編集権限をオフとする信号が受信された場合、その信号は状態変化出力部１６、機能指定部１２、に入力される。機能指定部１２では、この編集権限をオフとする信号を入力した場合に、既存のアプリケーションの動作時の編集モードを「マーキング機能のみを有効にしたモード」から「すべての編集機能を無効化したモード」へ変更する。また、状態変化出力部１６では、この編集権限をオフとする信号を入力した場合に、画面上のメッセージ表示用の領域に、編集モードが「すべての編集機能を無効化したモード」に変更された旨を示すメッセージを出力する。
【００３８】
なお、本実施形態においては、図４に示すように、既存のアプリケーションに用いるデータを、サーバ装置４３を介して、例えば、３Ｄ−ＣＡＤデータが保持されるデータベース４５からデザイン・レビューを行う各端末（図では、端末１、端末２）に予め取得しておく。なお、既存のアプリケーションについても、各端末に予めインストールされていることは言うまでもない。
【００３９】
図５は、３台の端末でデザイン・レビューを行う場合に、そのうちの２台の端末（ＰＣ１、ＰＣ３）の表示画面の一例を示す図である。
図５において、端末ＰＣ１は、例えば、上述の他の端末に対して編集権限を定めることができる端末に相当し、端末ＰＣ３は、この端末ＰＣ１から編集権限を付与される端末に相当する。
【００４０】
端末ＰＣ１については、端末ＰＣ１のデザイン・レビュー支援部１０の画面合成部１５によって、他の端末（端末ＰＣ２、ＰＣ３）からの画像データがそれらＰＣ２、ＰＣ３からの画像データの表示用の領域（ＰＣ２、ＰＣ３に対応する領域）に出力され表示されている（貼り付けられている）。また、ユーザの指示によってデザイン・レビュー支援部１０上で既存のアプリケーション２１が起動されたことで、ＰＣ１の表示画面上には、既存のアプリケーション２１の表示画面が表示されている。なお、図では、その後のデータ選択処理を経て、その既存のアプリケーション２１の表示画面は、（アプリケーション２１）のデータ２２を含んで表示されている。
【００４１】
また、端末ＰＣ３については、端末ＰＣ３のデザイン・レビュー支援部３０の画面合成部１５によって、他の端末（端末ＰＣ１、ＰＣ２）からの画像データがそれらＰＣ１、ＰＣ２からの画像データの表示用の領域（ＰＣ１、ＰＣ２に対応する領域）に出力され表示されている（貼り付けられている）。また、端末ＰＣ１から編集権限をオンとする信号を受信して、既存のアプリケーション２１の動作時の編集モードが「マーキング機能のみを有効にしたモード」に変更されたことで、図からは定かでないが、ＰＣ３の表示画面上のメッセージ表示用の領域には、「アプリケーションの編集モードが「マーキングのみを有効にしたモード」に変更されました」というメッセージが表示されている。つまり、既存のアプリケーション２１の（データ２２を含んだ）表示画面がマーキング処理については編集可能な状態になっている。
【００４２】
図６は、デザイン・レビューに用いられる既存のアプリケーションのデータの一例である。図６は、あるレンズ構造を示している。このレンズ構造では、第１のレンズが接着剤を介して第１の鏡筒に固定されるとともに、その第１の鏡筒の内側に摺動可能なように第２の鏡筒が設置されている。第２の鏡筒には、第２のレンズと第３のレンズとが接着剤を介して固定されている。図中でＬは、第１の鏡筒と第２の鏡筒との嵌め合い長さを示している。
【００４３】
図７は、本実施形態のデザイン・レビュー支援システムの動作例を示す図である。図７において、第１の端末は、他の端末に対して編集権限を定めることができる端末であり、また、第２の端末は、第１の端末から編集権限を付与される端末である。例えば、３台の端末構成（ＰＣ１、ＰＣ２、ＰＣ３）の場合、ＰＣ１を第１の端末とすると、ＰＣ２、ＰＣ３のいずれかが第２の端末となる。
【００４４】
図７において、例えば図６に示すデータを用いてデザイン・レビューを行うにあたって、第１の端末から、第２の端末のユーザの意見を聞くべく、該第２の端末に対して、編集権限オン・オフ指示部１３を介して、編集権限をオンとする信号が（１）で送信される。
【００４５】
この信号は（２）でネットワーク上を伝わり、（３）で第２の端末に受信され、その第２の端末の機能指定部１２に入力される。そして、この機能指定部１２から既存のアプリケーション２１の動作時の編集モードを（その既存のアプリケーションのデータに対し）マーキング処理のみを可能とするモードに変更する。そして、その既存のアプリケーション２１上のデータ２２に対して、例えば、図８に示すようなマーキング処理がユーザによってなされる。なお、図８のマーキングは、例えば、第１の鏡筒と第２の鏡筒との間の間隔、または、嵌め合い長さＬが不適切であることを示している。
【００４６】
（４）において、このマーキング処理の結果として、データが変更（更新）されると、その変更または変更に伴う保存をトリガとして、（５）でデータ変換部１４が起動され、その変更されたデータが所定形式の画像データに変換される。この画像データは（６）で、デザイン・レビューを行っている他の全ての端末宛てに送信される。これら送信対象の端末の中には、第１の端末も当然含まれている。
【００４７】
この画像データの（更新）情報は（７）でネットワーク上を伝わり、例えば（８）で第１の端末に受信され、その画像データの送信元の端末（この場合、第２の端末）に対応する画面表示が画面合成部１５によって更新（変更）される。
【００４８】
なお、本実施形態においては、編集権限を定めることができる第１の端末は、１台の他端末に対して、編集権限をオンとする信号を送信していたが、同時に、または、時間をずらして、複数台の端末に編集権限をオンとする信号を送信するようにしてもよい。
【００４９】
また、編集権限を定めることができる第１の端末は、編集権限を付与した端末に対して、編集権限をオフとする信号を送信することで、その編集権限を付与した端末の編集権限をオフに再設定することができる。編集権限を付与される端末では、編集権限がオフになると、既存のアプリケーション２１上のデータ２２を編集（変更）できなくなる。
【００５０】
なお、第１の端末の編集権限オン・オフ指示部１３について、編集権限をオンとする信号を送信してから画像データを受信しない間は、他の全ての端末に対して編集権限をオンとする信号を送信できないようにオン信号の送信機能を無効化するとともに、画像データを受信したことをトリガとして、その画像データの送信元の端末（第２の端末）に対して、編集権限をオフとする信号を送信するようにすれば、既存のアプリケーション上のデータに対しては、いずれの時点でも２台の端末（編集権限を定めることができる第１の端末、編集権限を付与された１台の端末）のみが、データ編集可能な端末として存在することになる。この場合、それら２台以外の端末は、データに対するマーキング情報について意見を述べる（意見をデータにて送信する）等すれば、編集権限が２台に制限される状況下で、逆にデザイン・レビューを有効に行うことができる（全員が一斉に意見を述べて（マーキング案を提示して）収拾がつかなくなることが回避できる）。
【００５１】
また、図５に示すように、３台の端末でデザイン・レビューを行う場合は、一度に全ての端末に対応する画面表示が可能となるが、デザイン・レビューを行う端末数が多い場合は、図９に示すような各種表示方法が図２または図３のデザイン・レビュー支援部内に備えられる画面表示部（不図示）の表示方法として採用可能である。
【００５２】
図９（ａ）では、ＭＤＩ（マルチ・ドキュメント・インターフェイス）の子ウィンドウを各端末に対応するレビュー対象のデザイン（データ）４１を表示する領域とし、子ウィンドウのいずれかを指定することで、各端末に対応するレビュー対象のデザイン（データ）の表示領域を切り替えている。
【００５３】
図９（ｂ）では、「前へ」、「次へ」と表記されているページ切替ボタンを押下することで、各端末に対応するレビュー対象のデザイン（データ）４１の表示領域を切り替えている。
【００５４】
図９（ｃ）では、スクロールバーをスクロールすることで、各端末に対応するレビュー対象のデザイン（データ）４１の表示領域を切り替えている。
図９（ｄ）では、ウィンドウ内に端末の台数分のタブを作成し、各タブを端末のいずれかに重複しないように対応させる。そして、タブを指定することで、各端末に対応するレビュー対象のデザイン（データ）４１の表示領域を切り替えている。
【００５５】
本実施形態のデザイン・レビュー支援部１０、３０は、ソフトウェアとして実現することが可能である。
図１０は、本実施形態におけるデザイン・レビュー支援部の各処理をコンピュータに実行させるプログラムが格納される記憶媒体例を示す図である。
【００５６】
図１０に示すように、上記記憶媒体には、ＣＤ−ＲＯＭ、フレキシブルディスク（ＭＯ、ＤＶＤ、リムーバブルハードディスク等であってもよい）等の媒体駆動装置６７に脱着可能な可搬記憶媒体６６、ネットワーク回線６３経由でプログラムが送信される外部の装置（サーバ等）内の記憶手段（データベース等）６２、情報処理装置６１の本体６４内のメモリ（ＲＡＭまたはハードディスク等）６５、が含まれる。本実施形態の各処理を行うプログラムは、上記記憶媒体から本体６４内のメモリ６５にロードされ実行される。
【図面の簡単な説明】
【００５７】
【図１】端末を２台としたときの本発明の一実施形態のデザイン・レビュー支援システムの概要構成図である。
【図２】編集権限を定めることができる端末のデザイン・レビュー支援部の構成を示すブロック図である。
【図３】編集権限を定めることができる端末から編集権限を付与される端末のデザイン・レビュー支援部の構成を示すブロック図である。
【図４】端末を２台とした場合に、デザイン・レビューに先立って、各端末が、既存のアプリケーションに用いるデータを取得する方法を説明する図である。
【図５】３台の端末でデザイン・レビューを行う場合に、そのうちの２台の端末（ＰＣ１、ＰＣ３）の表示画面の一例を示す図である。
【図６】デザイン・レビューに用いられる既存のアプリケーションのデータの一例である。
【図７】本実施形態のデザイン・レビュー支援システムの動作例を示す図である。
【図８】図６のデータにマーキング処理を施したデータの一例である。
【図９】本実施形態のデザイン・レビュー支援部内に備えられる画面表示部の表示方法（切替方法）を示す図であり、（ａ）は、ＭＤＩ（マルチ・ドキュメント・インターフェイス）の子ウィンドウを指定することを、（ｂ）は、切替ボタンを押下することを、（ｃ）は、スクロールバーをスクロールすることを、（ｄ）は、タブを指定することを、それぞれ切替方法として示した図である。
【図１０】記憶媒体例を示す図である。
【図１１】従来の画面共有システムにおける動作例を示す図である。
【符号の説明】
【００５８】
１  第１の端末
２  第２の端末
４  通信媒体
１０、３０  デザイン・レビュー支援部
１１  属性指定部
１２  機能指定部
１３  編集権限オン・オフ指示部
１４  データ変換部
１５  画面合成部
１６  状態変化出力部
２１  既存のアプリケーション
２２、４１  （既存のアプリケーションの）データ
２３  画像データ
２４  （他端末からの）画像データ
２６  送信部
２７  受信部
【図１】
2006178784.tif 000003
【図２】
2006178784.tif 000004
【図３】
2006178784.tif 000005
【図５】
2006178784.tif 000006
【図６】
2006178784.tif 000007
【図８】
2006178784.tif 000008
【図１０】
2006178784.tif 000009
【図４】
2006178784.tif 000010
【図７】
2006178784.tif 000011
【図９】
2006178784.tif 000012
【図１１】
2006178784.tif 000013